(57)【要約】【課題】複数の画像処理機能を有する画像処理装置において、画像形成出力による出力結果を読み取った画像とマスター画像とを比較することによる画像の検査を行うこと。【解決手段】複数の画像処理機能を有するＭＦＰ１によって紙面上に画像形成出力された画像を読み取った読取画像の検査を行う検査装置２であって、ＭＦＰ１において変換されたビットマップデータを取得し、読取画像の検査を行うためのマスター画像を生成するマスター画像処理部２０２と、マスター画像と読取画像との差分に基づいて読取画像の欠陥を判定する検査制御部２０５、比較検査部２０６とを含み、マスター画像処理部２０２は、取得したビットマップデータの情報形式に応じた内容の画像処理を行ってマスター画像を生成することを特徴とする。【選択図】図３
2014055852.tif 000002
【特許請求の範囲】
【請求項１】
複数の画像処理機能を有する画像形成装置によって紙面上に画像形成出力された画像を読み取った読取画像の検査を行う画像検査装置であって、
前記画像形成装置における画像形成出力を実行する対象の画像が、前記画像を構成する画素毎の情報で記述された出力対象画像を取得し、取得した前記出力対象画像に基づいて前記読取画像の検査を行うための検査用画像を生成する検査用画像生成部と、
前記検査用画像と前記読取画像との差分に基づいて前記読取画像の欠陥を判定する画像検査部とを含み、
前記検査用画像生成部は、取得した前記出力対象画像の情報形式に応じた内容の画像処理を行って前記検査用画像を生成することを特徴とする画像検査装置。
【請求項２】
前記検査用画像生成部は、前記出力対象画像に付加されている情報であって、前記複数の画像処理機能のうち前記出力対象画像の生成に係る機能を示す情報に基づき、前記検査用画像を生成するために実行する画像処理の内容を決定することを特徴とする請求項１に記載の画像検査装置。
【請求項３】
前記画像形成装置において前記出力対象画像に変換される前の元の画像を取得し、取得した前記元の画像における画像のエッジを抽出するエッジ処理部を含み、
前記画像検査部は、前記検査用画像と前記読取画像との差分と所定の閾値とを比較することにより、前記読取画像の欠陥を判定し、前記元の画像において抽出された画像のエッジの部分について、前記検査用画像と前記読取画像との差分を許容する範囲を拡大するように前記閾値を変更することを特徴とする請求項１または２に記載の画像検査装置。
【請求項４】
前記エッジ処理部は、生成された前記検査用画像における画像のエッジを抽出し、前記元の画像から抽出した画像のエッジの部分に基づいて前記検査用画像から抽出したエッジの部分を修正して前記画像検査部に入力し、
前記画像検査部は、前記エッジ処理部から入力された前記画像のエッジ部分について、前記検査用画像と前記読取画像との差分を許容する範囲を拡大するように前記閾値を変更することを特徴とする請求項３に記載の画像検査装置。
【請求項５】
前記エッジ処理部は、前記画像のエッジの抽出結果に基づいて画像の線の部分を抽出し、
前記画像検査部は、前記元の画像において抽出された線の部分について、前記検査用画像と前記読取画像との差分を許容する範囲を前記画像のエッジの部分よりも更に拡大するように前記閾値を変更することを特徴とする請求項３または４に記載の画像検査装置。
【請求項６】
前記画像形成装置において前記出力対象画像に変換される前の元の画像を取得し、取得した前記元の画像と生成された前記検査用画像との差分に基づいて前記検査用画像と前記読取画像との差分を許容する範囲を拡大するように前記閾値を変更することを特徴とする請求項１乃至５いずれか１項に記載の画像検査装置。
【請求項７】
前記検査用画像生成部は、前記画像形成装置において各画素を構成する色が二値で表現された前記出力対象画像を取得し、前記読取画像の階調に応じて階調変換を行うことにより、前記検査用画像を生成することを特徴とする請求項１乃至６いずれか１項に記載の画像検査装置。
【請求項８】
紙面上に画像形成出力された画像を読み取った読取画像の検査を行う画像処理システムであって、
複数の画像処理機能夫々に応じて画像形成出力を実行する画像形成部と、
画像形成出力が施された用紙を読み取ることにより前記読取画像を生成する画像読取部と、
前記画像形成出力を実行する対象の画像が、前記画像を構成する画素毎の情報で記述された出力対象画像を取得し、取得した前記出力対象画像に基づいて前記読取画像の検査を行うための検査用画像を生成する検査用画像生成部と、
前記検査用画像と前記読取画像との差分に基づいて前記読取画像の欠陥を判定する画像検査部とを含み、
前記検査用画像生成部は、取得した前記出力対象画像の情報形式に応じた内容の画像処理を行って前記検査用画像を生成することを特徴とする画像処理システム。
【請求項９】
前記複数の画像処理機能夫々に応じて、画像形成出力を実行する対象の元の画像に基づいて前記出力対象画像を生成する画像処理部と、
前記複数の画像処理機能のうち、前記出力対象画像の生成に係る機能を示す情報を付加して、生成された前記出力対象画像を前記検査用画像生成部のために送信する出力対象画像送信部とを含み、
前記検査用画像生成部は、前記出力対象画像に付加されている前記出力対象画像の生成に係る機能を示す情報に基づき、前記検査用画像を生成するために実行する画像処理の内容を決定することを特徴とする請求項８に記載の画像処理システム。
【請求項１０】
複数の画像処理機能を有する画像形成装置によって紙面上に画像形成出力された画像を読み取った読取画像の検査を行う画像検査方法であって、
前記画像形成装置において画像形成出力を実行する対象の画像が、前記画像を構成する画素毎の情報で記述された出力対象画像を取得し、
取得した前記出力対象画像の情報形式に応じた内容の画像処理を行って前記読取画像の検査を行うための検査用画像を生成し、
前記検査用画像と前記読取画像との差分に基づいて前記読取画像の欠陥を判定することを特徴とする画像検査方法。
【発明の詳細な説明】
【技術分野】
【０００１】
本発明は、画像検査装置、画像処理システム及び画像検査方法に関し、特に、複数の画像処理機能を有する装置における出力結果の検査に関する。
【背景技術】
【０００２】
従来、印刷物の検品は人手によって行われてきたが、近年オフセット印刷の後処理として、検品を行う装置が用いられている。このような検品装置では、印刷物の読取画像の中から良品のものを人手によって選択して読み取ることにより基準となるマスター画像を生成し、このマスター画像と検査対象の印刷物の読取画像の対応する部分を比較し、これらの差分の程度により印刷物の欠陥を判別している。
【０００３】
しかし、近年普及が進んでいる電子写真などの無版印刷装置は少部印刷を得意としており、バリアブル印刷など毎ページ印刷内容の異なるケースも多く、オフセット印刷機のように印刷物からマスター画像を生成して比較対象とすることは非効率である。この問題に対応するため、印刷データからマスター画像を生成することが考えられる。これにより、バリアブル印刷に効率的に対応可能である。
【０００４】
このような画像の検査処理に際しては、上述した差分の程度、即ち、出力された用紙を読み取った画像と、印刷データから生成されたマスター画像との位置合わせ及びサイズ合わせを行った上で、両画像を画素毎に比較した結果に対して所定の閾値を設定することにより、印刷物が欠陥であるか否かを判別する。
【０００５】
このような画像検査の技術として、画像形成出力する対象の元の画像と出力結果を読み取った読取画像とを比較することにより、画像検査を行う方法が各種提案されている（例えば、特許文献１、特許文献２参照）。特許文献１においては、カラーコピーに際して、原稿を読み取って生成された画像と、用紙上に複写された画像を読み取った画像とを比較する。また、特許文献２においては、プリントアウトに際して、出力対象の元画像と、用紙上に出力された画像を読み取った画像とを比較する。
【発明の概要】
【発明が解決しようとする課題】
【０００６】
近年、事業所等で業務用に使用される画像処理装置として、プリンタ、ＦＡＸ、スキャナ、コピー等のように様々な機能を備えるＭＦＰ（ＭｕｌｔｉＦｕｎｃｔｉｏｎ Ｐｅｒｉｐｈｅｒａｌ：複合機）が用いられることがある。ＭＦＰの場合、画像形成出力機能を用いるのは例えば、プリンタ、ＦＡＸ、コピー機能であるが、用紙に対する画像形成出力を行うプロッタエンジンに入力される情報が夫々の機能によって異なる場合がある。
【０００７】
他方、画像の比較検査を行う際には、上述したように印刷データに基づいてマスター画像を生成する。ここでいう印刷データは、可能な限り印刷出力に用いられる直前の画像のデータであることが好ましいため、画像形成出力を行うプロッタエンジンに入力される情報が用いられることが多い。しかしながら、上述したように、プリンタ、ＦＡＸ、コピー等の機能に応じてプロッタエンジンに入力される情報の形式が異なる場合、一律の処理によって印刷データからマスター画像を生成することができず、結果的に画像の比較検査が困難となる。
【０００８】
本発明は上記実情に鑑みてなされたものであり、複数の画像処理機能を有する画像処理装置において、画像形成出力による出力結果を読み取った画像とマスター画像とを比較することによる画像の検査を行うことを目的とする。
【課題を解決するための手段】
【０００９】
上記課題を解決するために、本発明の一態様は、複数の画像処理機能を有する画像形成装置によって紙面上に画像形成出力された画像を読み取った読取画像の検査を行う画像検査装置であって、前記画像形成装置における画像形成出力を実行する対象の画像が、前記画像を構成する画素毎の情報で記述された出力対象画像を取得し、取得した前記出力対象画像に基づいて前記読取画像の検査を行うための検査用画像を生成する検査用画像生成部と、前記検査用画像と前記読取画像との差分に基づいて前記読取画像の欠陥を判定する画像検査部とを含み、前記検査用画像生成部は、取得した前記出力対象画像の情報形式に応じた内容の画像処理を行って前記検査用画像を生成することを特徴とする。
【００１０】
また、本発明の他の態様は、紙面上に画像形成出力された画像を読み取った読取画像の検査を行う画像処理システムであって、複数の画像処理機能夫々に応じて画像形成出力を実行する画像形成部と、画像形成出力が施された用紙を読み取ることにより前記読取画像を生成する画像読取部と、前記画像形成出力を実行する対象の画像が、前記画像を構成する画素毎の情報で記述された出力対象画像を取得し、取得した前記出力対象画像に基づいて前記読取画像の検査を行うための検査用画像を生成する検査用画像生成部と、前記検査用画像と前記読取画像との差分に基づいて前記読取画像の欠陥を判定する画像検査部とを含み、前記検査用画像生成部は、取得した前記出力対象画像の情報形式に応じた内容の画像処理を行って前記検査用画像を生成することを特徴とする。
【００１１】
また、本発明の更に他の態様は、複数の画像処理機能を有する画像形成装置によって紙面上に画像形成出力された画像を読み取った読取画像の検査を行う画像検査方法であって、前記画像形成装置において画像形成出力を実行する対象の画像が、前記画像を構成する画素毎の情報で記述された出力対象画像を取得し、取得した前記出力対象画像の情報形式に応じた内容の画像処理を行って前記読取画像の検査を行うための検査用画像を生成し、前記検査用画像と前記読取画像との差分に基づいて前記読取画像の欠陥を判定することを特徴とする。
【発明の効果】
【００１２】
本発明によれば、複数の画像処理機能を有する画像処理装置において、画像形成出力による出力結果を読み取った画像とマスター画像とを比較することによる画像の検査を行うことができる。
【図面の簡単な説明】
【００１３】
【図１】本発明の実施形態に係る検査装置を含む画像処理システムの構成を示す図である。
【図２】本発明の実施形態に係る画像処理装置、検査装置のハードウェア構成を示すブロック図である。
【図３】本発明の実施形態に係る画像処理システムの機能構成を示すブロック図である。
【図４】本発明の実施形態に係る印刷処理部の機械的構成を示す図である。
【図５】本発明の実施形態に係るマスター画像処理部の機能構成を示すブロック図である。
【図６】本発明の実施形態に係るビットマップデータの生成処理において生じる問題の例を示す図である。
【図７】本発明の他の実施形態に係る画像処理システムの機能構成を示すブロック図である。
【発明を実施するための形態】
【００１４】
以下、図面を参照して、本発明の実施形態を詳細に説明する。本実施形態に係るシステムは、プリンタ、ＦＡＸ、コピー等の複数の画像処理機能を有するＭＦＰ（ＭｕｌｔｉＦｕｎｃｔｉｏｎ Ｐｅｒｉｐｈｅｒａｌ：複合機）において、画像形成出力による出力結果を読み取った読取画像と、画像形成出力を行うための印刷データに基づいて生成されたマスター画像とを比較することにより出力結果を検査するものであり、様々な形式の印刷データに基づいてマスター画像を生成することをその要旨とする。
【００１５】
図１は、本実施形態に係る画像処理システムの全体構成を示す図である。図１に示すように、本実施形態に係る画像処理システムは、ＭＦＰ１及び検査装置２を含む。尚、以下の説明においては、ＭＦＰ１及び検査装置２による構成をシステムとして説明するが、ＭＦＰ１と検査装置２とが組み合わせられた１つの装置として構成することも可能である。
【００１６】
ＭＦＰ１は、スキャナエンジン、プロッタエンジン、ネットワークインタフェース、モデム及びそれらを制御するためのハードウェアと、それらを制御し、若しくは利用するためのソフトウェアとを備えることにより、プリンタ、ＦＡＸ、スキャナ、コピー等の様々な画像処理機能を実現する。ＭＦＰ１は、夫々の画像処理機能によって画像形成出力を実行すると共に、画像形成出力に際して生成された出力対象のビットマップデータと、出力した用紙を読み取り装置で読み取って生成した読取画像データを検査装置２に入力する。
【００１７】
検査装置２は、ＭＦＰ１から入力されたビットマップデータに基づいてマスター画像を生成する。そして、検査装置２は、ＭＦＰ１から入力された読取画像を上記生成したマスター画像と比較することにより、出力結果の検査を行う画像検査装置である。
【００１８】
ここで、本実施形態に係るＭＦＰ１及び検査装置２の機能ブロックを構成するハードウェア構成について、図２を参照して説明する。図２は、本実施形態に係るＭＦＰ１や検査装置２のハードウェア構成を示すブロック図である。
【００１９】
図２に示すように、本実施形態に係るＭＦＰ１、検査装置２は、一般的なＰＣ（Ｐｅｒｓｏｎａｌ  Ｃｏｍｐｕｔｅｒ）やサーバ等の情報処理装置と同様の構成を有する。即ち、本実施形態に係るＭＦＰ１、検査装置２は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０にはＬＣＤ（Ｌｉｑｕｉｄ  Ｃｒｙｓｔａｌ  Ｄｉｓｐｌａｙ）６０、操作部７０及び専用デバイス８０が接続されている。
【００２０】
ＣＰＵ１０は演算手段であり、装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。
【００２１】
Ｉ／Ｆ５０は、バス９０と各種のハードウェアやネットワーク等を接続し制御する。ＬＣＤ６０は、ユーザが装置の状態を確認するための視覚的ユーザインタフェースである。操作部７０は、キーボードやマウス等、ユーザが装置に情報を入力するためのユーザインタフェースである。
【００２２】
専用デバイス８０は、ＭＦＰ１、検査装置２において、専用の機能を実現するためのハードウェアであり、ＭＦＰ１の場合は、紙面上に画像形成出力を実行するプロッタ装置や、紙面上に出力された画像を読み取る読取装置である。また、検査装置２の場合は、高速に画像処理を行うための専用の演算装置である。このような演算装置は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として構成される。
【００２３】
このようなハードウェア構成において、ＲＯＭ３０やＨＤＤ４０若しくは図示しない光学ディスク等の記録媒体に格納されたプログラムがＲＡＭ２０に読み出され、ＣＰＵ１０がそれらのプログラムに従って演算を行うことにより、ソフトウェア制御部が構成される。このようにして構成されたソフトウェア制御部と、ハードウェアとの組み合わせによって、本実施形態に係るＭＦＰ１及び検査装置２の機能を実現する機能ブロックが構成される。
【００２４】
図３は、本実施形態に係るＭＦＰ１及び検査装置２の機能構成を示すブロック図である。図３に示すように、本実施形態に係るＭＦＰ１は、スキャナ１０１、コピー用画像処理部１０２、ネットワークＩ／Ｆ１０３、プリンタ用画像処理部１０４、モデム１０５、ＦＡＸ用画像処理部１０６、データ取得部１０７、エンジン制御部１０８、印刷処理部１０９、読取装置１１０及びビットマップ送信部１１１を含む。
【００２５】
スキャナ１０１は、原稿を光学的に走査することにより画像情報を生成して出力する。コピー用画像処理部１０２は、スキャナ１０１によって生成された画像情報に基づいて画像処理を実行し、ＭＦＰ１に搭載されている画像形成出力のエンジンであるプロッタエンジンに画像形成出力を実行させるためのビットマップデータを生成する。
【００２６】
ネットワークＩ／Ｆ１０３は、ＭＦＰ１がネットワークを介して情報をやり取りするためのインタフェースであり、ＭＦＰ１がプリンタとして機能する際には、ネットワークＩ／Ｆ１０３が他の機器からネットワークを介して印刷ジョブを受信する。プリンタ用画像処理部１０４は、ネットワークＩ／Ｆ１０３が受信した印刷ジョブに基づいて画像処理を行い、ＭＦＰ１に搭載されている画像形成出力のエンジンであるプロッタエンジンに画像形成出力を実行させるためのビットマップデータを生成する。
【００２７】
モデム１０５は、ＭＦＰ１が電話回線を介して情報をやり取りするためのインタフェースであり、ＭＦＰ１がＦＡＸとして機能する際には、モデム１０５が電話回線を介してＦＡＸ情報を受信し、若しくはＦＡＸ情報を送信する。ＦＡＸ用画像処理部１０６は、モデム１０５が受信したＦＡＸ情報に基づいて画像処理を行い、ＭＦＰ１に搭載されている画像形成出力のエンジンであるプロッタエンジンに画像形成出力を実行させるためのビットマップデータを生成する。
【００２８】
データ取得部１０７は、コピー用画像処理部１０２、プリンタ用画像処理部１０４及びＦＡＸ用画像処理部１０６夫々から入力されるビットマップデータを取得し、エンジン制御部１０８及びビットマップ送信部１１１夫々を動作させる。換言すると、データ取得部１０７は、夫々の画像処理部によって生成されたビットマップデータを一次的に保持する記憶部であり、ページメモリとも呼ばれる。エンジン制御部１０８は、データ取得部１０７から転送されたビットマップデータに基づき、画像形成出力を実行するプロッタエンジンを含む印刷処理部１０９に画像形成出力を実行させる。
【００２９】
印刷処理部１０９は、エンジン制御部１０８から入力されるビットマップデータを取得し、印刷用紙に対して画像形成出力を実行し、印刷済みの用紙を出力する画像形成部である。本実施形態に係る印刷処理部１０９は、電子写真方式の一般的な画像形成機構によって実現される。読取装置１１０は、印刷処理部１０９によって印刷が実行されて出力された印刷用紙の紙面上に形成された画像を読み取り、読取データを検査装置２に出力する画像読取部である。
【００３０】
読取装置１１０は、例えば印刷処理部１０９によって出力された印刷用紙の搬送経路に設置されたラインスキャナであり、搬送される印刷用紙の紙面上を走査することによって紙面上に形成された画像を読み取る。尚、図３の例においては、スキャナ１０１と読取装置１１０とを別個の機能ブロックとして説明しているが、印刷処理部１０９から出力された用紙がスキャナ１０１に搬送されるように用紙の搬送経路を構成することにより、スキャナ１０１と読取装置１１０とを共通化することも可能である。
【００３１】
ビットマップ送信部１１１は、データ取得部１０７から転送されたビットマップデータを、検査装置２におけるマスター画像の生成のために検査装置２に送信する。尚、ＭＦＰ１から検査装置２に対しては、ビットマップ送信部１１１によって送信されるビットマップデータの他、スキャナ１０１、ネットワークＩ／Ｆ１０３及びモデム１０５が夫々に対応する画像処理部に入力する画像の情報が入力される。
【００３２】
ここで、印刷処理部１０９及び読取装置１１０の機械的な構成について、図４を参照して説明する。図４に示すように、本実施形態に係る印刷処理部１０９は、無端状移動手段である搬送ベルト３０５に沿って各色の画像形成部３０６Ｙ、３０６Ｃ、３０６Ｍ、３０６ＢＫが並べられた構成を備えるものであり、所謂タンデムタイプといわれるものである。すなわち、給紙トレイ３０１から給紙ローラ３０２と分離ローラ３０３とにより分離給紙される用紙（記録媒体の一例）３０４に転写するための中間転写画像が形成される中間転写ベルトである搬送ベルト３０５に沿って、この搬送ベルト３０５の搬送方向の上流側から順に、複数の画像形成部（電子写真プロセス部）３０６ＢＫ、３０６Ｍ、３０６Ｃ、３０６Ｙが配列されている。
【００３３】
これら複数の画像形成部３０６ＢＫ、３０６Ｍ、３０６Ｃ、３０６Ｙは、形成するトナー画像の色が異なるだけで内部構成は共通である。画像形成部３０６ＢＫはブラックの画像を、画像形成部３０６Ｍはマゼンタの画像を、画像形成部３０６Ｃはシアンの画像を、画像形成部３０６Ｙはイエローの画像をそれぞれ形成する。尚、以下の説明においては、画像形成部３０６ＢＫについて具体的に説明するが、他の画像形成部３０６Ｍ、３０６Ｃ、３０６Ｙは画像形成部３０６ＢＫと同様であるので、その画像形成部３０６Ｍ、３０６Ｃ、３０６Ｙの各構成要素については、画像形成部３０６ＢＫの各構成要素に付したＢＫに替えて、Ｍ、Ｃ、Ｙによって区別した符号を図に表示するにとどめ、説明を省略する。
【００３４】
搬送ベルト３０５は、回転駆動される駆動ローラ３０７と従動ローラ３０８とに架け渡されたエンドレスのベルト、即ち無端状ベルトである。この駆動ローラ３０７は、不図示の駆動モータにより回転駆動させられ、この駆動モータと、駆動ローラ３０７と、従動ローラ３０８とが、無端状移動手段である搬送ベルト３０５を移動させる駆動手段として機能する。
【００３５】
画像形成に際しては、回転駆動される搬送ベルト３０５に対して、最初の画像形成部３０６ＢＫが、ブラックのトナー画像を転写する。画像形成部３０６ＢＫは、感光体としての感光体ドラム３０９ＢＫ、この感光体ドラム３０９ＢＫの周囲に配置された帯電器３１０ＢＫ、光書き込み装置３１１、現像器３１２ＢＫ、感光体クリーナ（図示せず）、除電器３１３ＢＫ等から構成されている。光書き込み装置３１１は、夫々の感光体ドラム３１０９ＢＫ、３０９Ｍ、３０９Ｃ、３０９Ｙ（以降、総じて「感光体ドラム３０９」という）に対して光を照射するように構成されている。
【００３６】
画像形成に際し、感光体ドラム３０９ＢＫの外周面は、暗中にて帯電器３１０ＢＫにより一様に帯電された後、光書き込み装置３００からのブラック画像に対応した光源からの光により書き込みが行われ、静電潜像が形成される。現像器３１２ＢＫは、この静電潜像をブラックトナーにより可視像化し、このことにより感光体ドラム３０９ＢＫ上にブラックのトナー画像が形成される。
【００３７】
このトナー画像は、感光体ドラム３０９ＢＫと搬送ベルト３０５とが当接若しくは最も接近する位置（転写位置）で、転写器３１５ＢＫの働きにより搬送ベルト３０５上に転写される。この転写により、搬送ベルト３０５上にブラックのトナーによる画像が形成される。トナー画像の転写が終了した感光体ドラム３０９ＢＫは、外周面に残留した不要なトナーを感光体クリーナにより払拭された後、除電器３１３ＢＫにより除電され、次の画像形成のために待機する。
【００３８】
以上のようにして、画像形成部３０６ＢＫにより搬送ベルト３０５上に転写されたブラックのトナー画像は、搬送ベルト３０５のローラ駆動により次の画像形成部３０６Ｍに搬送される。画像形成部３０６Ｍでは、画像形成部３０６ＢＫでの画像形成プロセスと同様のプロセスにより感光体ドラム３０９Ｍ上にマゼンタのトナー画像が形成され、そのトナー画像が既に形成されたブラックの画像に重畳されて転写される。
【００３９】
搬送ベルト３０５上に転写されたブラック、マゼンタのトナー画像は、さらに次の画像形成部３０６Ｃ、３０６Ｙに搬送され、同様の動作により、感光体ドラム３０９Ｃ上に形成されたシアンのトナー画像と、感光体ドラム３０９Ｙ上に形成されたイエローのトナー画像とが、既に転写されている画像上に重畳されて転写される。こうして、搬送ベルト３０５上にフルカラーの中間転写画像が形成される。
【００４０】
給紙トレイ３０１に収納された用紙３０４は最も上のものから順に送り出され、その搬送経路が搬送ベルト３０５と接触する位置若しくは最も接近する位置において、搬送ベルト３０５上に形成された中間転写画像がその紙面上に転写される。これにより、用紙３０４の紙面上に画像が形成される。紙面上に画像が形成された用紙３０４は更に搬送され、定着器３１６にて画像を定着された後、読取装置１１０に搬送される。
【００４１】
尚、両面印刷の場合、画像が定着された用紙は反転経路に搬送され、反転された上で再度転写位置に搬送される。片面または両面に画像が形成されて定着された用紙は、読取装置１１０に搬送される。これにより、読取装置１１０により、紙面が撮像され、検査対象の画像となる読取画像が生成される。
【００４２】
次に、再度図３を参照し、検査装置２の各構成について説明する。図３に示すように、本実施形態に係る検査装置２は、読取画像取得部２０１、マスター画像処理部２０２、マスター画像チェック部２０３、エッジ処理部２０４、検査制御部２０５及び比較検査部２０６を含む。読取画像取得部２０１は、ＭＦＰ１において印刷用紙の紙面が読取装置１１０によって読み取られて生成された読取画像の情報を取得する。読取画像取得部２０１が取得した読取画像の情報は、検査対象の画像として比較検査部２０６に入力される。尚、比較検査部２０６への読取画像の入力は、比較検査の動作を全体的に制御する検査制御部２０５の制御に従って行われる。
【００４３】
マスター画像処理部２０２は、上述したようにＭＦＰ１から入力されたビットマップデータを取得し、上記検査対象の画像と比較するための検査用画像であるマスター画像を生成する。即ち、マスター画像処理部２０２は、出力対象画像に基づいて読取画像の検査を行うための検査用画像であるマスター画像を生成する検査用画像生成部として機能する。マスター画像処理部２０２によるマスター画像の生成処理については後に詳述する。
【００４４】
マスター画像チェック部２０３は、マスター画像処理部２０２が生成したマスター画像と、コピー用画像処理部１０２、プリンタ用画像処理部１０４、ＦＡＸ用画像処理部１０６が夫々ビットマップデータを生成する元となった画像情報とを比較し、マスター画像の正当性の確認やその確認結果に応じた処理を行う。
【００４５】
エッジ処理部２０４は、マスター画像処理部２０２が生成したマスター画像及びコピー用画像処理部１０２、プリンタ用画像処理部１０４、ＦＡＸ用画像処理部１０６が夫々ビットマップデータを生成する元となった画像情報についてエッジ抽出処理を行い、エッジが抽出された画像上の位置に応じた処理を行う。
【００４６】
検査制御部２０５は、検査装置２全体の動作を制御する制御部であり、検査装置２に含まれる各構成は検査制御部２０５の制御に従って動作する。比較検査部２０６は、読取画像取得部２０１が取得した読取画像とマスター画像処理部２０２が生成したマスター画像とを比較し、意図した通りの画像形成出力が実行されているか否かを判断する画像検査部であり、膨大な計算量を迅速に処理するために上述したようなＡＳＩＣによって構成される。
【００４７】
比較検査部２０６においては、ＲＧＢ各色８ｂｉｔで表現された２００ｄｐｉの読取画像及びマスター画像を対応する画素毎に比較し、夫々の画素毎に上述したＲＧＢ各色８ｂｉｔの画素値の差分値を算出する。そのようにして算出した差分値と閾値との大小関係に基づき、比較検査部２０６は、読取画像における欠陥の有無を判断する。
【００４８】
尚、差分値と閾値との大小関係の比較方法として、比較検査部２０６は、夫々の画素について算出された差分値を画像上の所定範囲毎に合計し、その合計値について設定された閾値と合計値とを比較する。このように各画素の差分値を合計する所定範囲としては、例えば３ドット四方の範囲である。
【００４９】
次に、マスター画像処理部２０２に含まれる機能の詳細について図５を参照して説明する。図５は、マスター画像処理部２０２内部の構成を示すブロック図である。図５に示すように、マスター画像処理部２０２は、マスター画像生成制御部２２１、少値多値変換処理部２２２、解像度変換処理部２２３、色変換処理部２２４及びマスター画像出力部２２５を含む。尚、本実施形態に係るマスター画像処理部２０２は、図２において説明した専用デバイス８０、即ち、ＡＳＩＣとして構成されたハードウェアが、ソフトウェアの制御に従って動作することにより実現される。
【００５０】
マスター画像生成制御部２２１は、ＭＦＰ１のビットマップ送信部１１１から入力されるビットマップデータに基づき、マスター画像処理部２０２に含まれる各機能の処理を制御する。上述したように、ビットマップ送信部１１１から入力されるビットマップデータは、コピー用画像処理部１０２、プリンタ用画像処理部１０４、ＦＡＸ用画像処理部１０６のいずれかにおいて生成されたビットマップデータである。
【００５１】
ここで、夫々の画像処理部において生成されたビットマップデータは、夫々形式が異なる。また、検査装置２が接続される先のＭＦＰ１が異なれば、入力されるビットマップデータの形式も異なる。これに対して、マスター画像処理部２０２においては、比較検査部２０６における画像の比較検査のため、いずれのビットマップデータの場合でも最終的に同一形式のマスター画像を生成する必要がある。そのため、マスター画像生成制御部２２１は、入力されたビットマップデータに基づいてマスター画像処理部２０２に含まれる各機能の処理を制御することにより、いずれのビットマップデータの場合でも最終的に同一形式のマスター画像が生成されるようにする。
【００５２】
少値多値変換処理部２２２は、有色／無色で表現された二値画像に対して少値／多値変換処理を実行して多値画像を生成する。検査対象の画像である読取画像は、基本三原色であるＲＧＢ（Ｒｅｄ，Ｇｒｅｅｎ，Ｂｌｕｅ）各色多階調の多値画像であるため、少値多値変換処理部２２２により先ず二値画像が多値画像に変換される。
【００５３】
ＭＦＰ１から入力されるビットマップデータは、印刷処理部１０９に画像形成出力を実行させるための情報であり、一般的にはＣＭＹＫ（Ｃｙａｎ，Ｍａｇｅｎｔａ，Ｙｅｌｌｏｗ，ｂｌａｃＫ）形式の二値画像である。しかしながら、ＭＦＰ１の機種によっては、３値以上の少値の画像が印刷処理部１０９に入力される場合もあるし、各色８ｂｉｔの多値画像が印刷処理部１０９に入力される場合もある。
【００５４】
即ち、検査装置２が組み合わせられるＭＦＰ１に応じて、マスター画像処理部２０２に入力されるビットマップデータの階調形式が異なる場合がある。また、同一のＭＦＰ１の場合であっても、コピー用画像処理部１０２、プリンタ用画像処理部１０４、ＦＡＸ用画像処理部１０６の夫々によって異なる形式のビットマップデータが生成される場合があり得る。
【００５５】
そのような場合、少値多値変換処理部２２２は、入力されるビットマップデータが各画素、各色について有色／無色で表現された二値画像や、読取画像の形式よりも階調数の少ない少値画像であれば、少値／多値変換を行う必要があるが、読取画像と階調数の等しい多値画像である場合、処理が不要である。
【００５６】
そのため、本実施形態に係るマスター画像生成制御部２２１は、入力されたビットマップデータに基づいて少値／多値変換処理の要否を判断し、少値多値変換処理部２２２の動作を制御する。また、少値多値変換処理を要する場合であっても、二値から多値への変換なのか、３階調以上の値から多値への変換なのかによっても、少値／多値変換処理の態様が異なる。従って、マスター画像生成制御部２２１は、入力されたビットマップデータに基づいて少値／多値変換処理の態様を判断し、少値多値変換処理部２２２の動作を制御する。
【００５７】
解像度変換処理部２２３は、少値多値変換処理部２２２によって生成された多値画像の解像度を、検査対象の画像である読取画像の解像度に合わせるように解像度変換を行う。本実施形態においては、読取装置１１０は２００ｄｐｉの読取画像を生成するため、解像度変換処理部２２３は、少値多値変換処理部２２２によって生成された多値画像の解像度を２００ｄｐｉに変換する。
【００５８】
ここで、解像度変換処理部２２３は、入力される多値画像のビットマップデータの解像度に応じて、処理を変更する必要がある。例えば、入力されるビットマップデータの解像度が１２００ｄｐｉであれば解像度を１／６にする処理を行うし、入力されるビットマップデータの解像度が４００ｄｐｉであれば解像度を１／２にする処理を行う。また、入力されるビットマップデータの解像度が２００ｄｐｉであれば処理が不要である。従って、マスター画像生成制御部２２１は、入力されたビットマップデータの解像度に基づいて解像度変換処理の態様や要否を判断し、解像度変換処理部２２３の動作を制御する。
【００５９】
色変換処理部２２４は、解像度変換処理部２２３によって解像度が変換された画像を取得して色変換を行う。上述したように、本実施形態に係る読取画像はＲＧＢ形式の画像であるため、色変換処理部２２４は、解像度変換処理部２２３によって解像度変換された後のＣＭＹＫ形式の画像をＲＧＢ形式に変換する。これにより、画素毎にＲＧＢ各色８ｂｉｔ（合計２４ｂｉｔ）で表現された２００ｄｐｉの多値画像が生成される。
【００６０】
ここで、上述したように、マスター画像処理部２０２に入力される画像、即ち、ＭＦＰ１において印刷処理部１０９に入力される画像は、一般的にＣＭＹＫ形式の画像が用いられるため、色変換処理部２２４の処理が必要となる。しかしながら、ＭＦＰ１の仕様によっては、印刷処理部１０９に入力される画像の形式として、ＣＭＹＫ形式以外の色形式が用いられる場合もあり、そのような場合、ＣＭＹＫ形式以外の形式の画像がマスター画像処理部２０２に入力される。従って、マスター画像生成制御部２２１は、入力されたビットマップデータの色形式に基づいて色変換処理の態様は要否を判断し、色変換処理部２２４の動作を制御する。
【００６１】
マスター画像出力部２２５は、少値多値変換処理部２２２、解像度変換処理部２２３及び色変換処理部２２４によって生成されたマスター画像を、マスター画像チェック部２０３、エッジ処理部２０４及び検査制御部２０５に出力する。このように、本実施形態に係るマスター画像処理部２０２は、入力されるビットマップデータに応じて、マスター画像を生成する際の画像処理の内容を判断して、画像処理を行う各部を制御する。
【００６２】
そのため、プリンタ、ＦＡＸ、コピー等の様々な画像処理機能を有するＭＦＰ１と組み合わせられる際において、夫々の画像処理機能毎に出力されるビットマップデータが異なる場合であっても、画像の比較検査のためのマスター画像を好適に生成することが可能となる。また、様々な種類のＭＦＰ１に対応することが可能であり、組み合わせられるＭＦＰ１に応じてマスター画像処理部２０２を特別に設計する必要がなくなる。
【００６３】
次に、本実施形態に係るエッジ処理部２０４の機能について詳細に説明する。上述したように、本実施形態に係る比較検査部２０６においては、読取画像とマスター画像とを位置合せした上で、対応する画素の差分値を算出することにより、比較検査を行う。ここで、画像のエッジ部分の場合、読取画像とマスター画像とが一画素でもずれていれば、まったく異なる画像の差分を算出することとなるため、比較的大きな差分値が算出される。また、細い線の場合、比較的狭い範囲に画像のエッジが２つ含まれるため、そのような傾向はより顕著になる。
【００６４】
このような場合において、画像のエッジ部分や細い線の部分において算出された差分値に対して、他の領域において算出された差分値に適用する閾値と同一の閾値を適用すると、他の領域よりも頻繁に欠陥が検知されてしまうこととなり、非効率な装置運用となってしまう。他方、仮に印刷処理部１０９における印刷処理において不要なインクが付着する等の欠陥が生じた場合であっても、それが画像のエッジ部や細い線の部分であれば、目視による認識上では問題とならないことも多く、そのような場合は欠陥として検知しないことにより装置を効率的に運用したいという要望もある。
【００６５】
従って、本実施形態に係るエッジ処理部２０４は、マスター画像処理部２０２から取得したマスター画像に対してエッジ抽出フィルタを適用することにより、マスター画像中のエッジ部分を抽出し、抽出したエッジ部分を検査制御部２０５に通知する。また、エッジ抽出の結果に基づいて細い線の部分（以降、「線画像部分」とする）を抽出し、抽出した線画像部分を検査制御部２０５に通知する。
【００６６】
検査制御部２０５は、エッジ処理部２０４から通知されたエッジ部分や線画像部分については、他の部分よりも緩い、即ち、他の部分よりも許容範囲の広い閾値を適用するように比較検査部２０６を制御する。この際、線画像部分については、エッジ部分よりも更に許容範囲を広くすることが好ましい。これにより、画像のエッジ部分や線画像部分において他の領域よりも頻繁に欠陥が検知されてしまうような状態を回避することができる。また、画像のエッジ部分や線画像部分に欠陥が生じた場合であっても、欠陥として判断されないように制御することができる。
【００６７】
また、本実施形態に係るエッジ処理部２０４は、コピー用画像処理部１０２、プリンタ用画像処理部１０４、ＦＡＸ用画像処理部１０６が夫々ビットマップデータを生成する元となった画像（以降、「元画像」とする）の情報をＭＦＰ１から取得し、元画像に対してもエッジ抽出フィルタを適用してエッジ抽出や線画像部分の抽出を行う。
【００６８】
上述したように、マスター画像は、コピー用画像処理部１０２、プリンタ用画像処理部１０４、ＦＡＸ用画像処理部１０６のいずれかによって生成されたビットマップデータに基づいてマスター画像処理部２０２が生成する画像である。従って、コピー用画像処理部１０２、プリンタ用画像処理部１０４、ＦＡＸ用画像処理部１０６によるビットマップデータの生成処理において問題が生じていた場合、問題が生じた状態に基づいて生成されたマスター画像からエッジ抽出が行われるため、正確なエッジ抽出が行われない可能性がある。
【００６９】
その結果、閾値を緩くして許容範囲を広げるべき部分について、そのような処理が行われなくなる場合がある。特に、本実施形態に係るＭＦＰ１のように複数の画像処理機能を有する装置においては、コピー用画像処理部１０２、プリンタ用画像処理部１０４、ＦＡＸ用画像処理部１０６夫々について実行される画像処理の内容が異なるため、夫々の画像処理部によるビットマップデータの生成に際して、画像に発生する変化の傾向も異なる。
【００７０】
従って、本実施形態に係るエッジ処理部２０４は、元画像に対してもエッジ抽出フィルタを適用してエッジ抽出を行い、元画像から抽出されたエッジ部分や線画像部分とマスター画像から抽出されたエッジ部分や線画像部分とを比較する。その結果、両画像におけるエッジ部分や線画像部分が異なる場合、エッジ処理部２０４は、元画像から抽出したエッジ部分や線画像部分に基づいて、マスター画像に基づくエッジ部分や線画像部分の抽出結果を修正した上で、検査制御部２０５に通知する。
【００７１】
図６（ａ）〜（ｃ）は、ビットマップデータの生成処理において生じる問題の例を示す図である。本来の画像が図６（ａ）に示すような（Ｒ，Ｇ，Ｂ）＝（３０，３０，３０）の黒線である場合において、信号ノイズや、スキャナ１０１による読み取り時の誤差により、図６（ｂ）に斜線部分で示すように、線を構成する画素の一部が（Ｒ，Ｇ，Ｂ）＝（４０，３５，３０）に変化してしまう場合がある。
【００７２】
（Ｒ，Ｇ，Ｂ）＝（３０，３０，３０）の部分は黒として処理されるため、夫々の画像処理部におけるビットマップデータの生成処理において、ＣＭＹＫのうちＫを主とした画素値で処理される。他方、（Ｒ，Ｇ，Ｂ）＝（４０，３５，３０）の部分は黒とは認識されず、ＣＭＹの成分によって構成される画素となる。このようなＣＭＹの成分によって構成される画素は、ビットマップデータの生成処理において網点処理されるため、結果的に、図６（ｃ）に示すように、黒線であるはずの画像の一部が、網点の領域となって線が途切れることとなる。
【００７３】
図６（ｃ）に示す網点領域は、線画像部分とは認識されないため、この領域については上述したような線画像部分に応じた閾値の調整が行われず、厳しい閾値が適用されて画像の欠陥と判定される可能性が高くなる。これに対して、本実施形態に係るエッジ処理部２０４は、網点処理される前の元画像に基づいてエッジ抽出を行うため、一部に（Ｒ，Ｇ，Ｂ）＝（４０，３５，３０）の部分を含む線状の画像であっても途切れのない線として認識することができる。
【００７４】
従って、エッジ処理部２０４は、元画像に基づいてエッジ抽出を行ったエッジ抽出結果に基づいてマスター画像に基づくエッジ抽出結果を修正することにより、ＭＦＰ１における画像処理によってエッジとして抽出されなくなってしまった部分をエッジとして抽出して検査制御部２０５に通知することが可能となる。
【００７５】
次に、本実施形態に係るマスター画像チェック部２０３の機能について詳細に説明する。上述したように、本実施形態に係るマスター画像チェック部２０３は、マスター画像処理部２０２が生成したマスター画像を、コピー用画像処理部１０２、プリンタ用画像処理部１０４、ＦＡＸ用画像処理部１０６が夫々ビットマップデータを生成する元となった元画像と比較し、マスター画像の正当性の確認やその確認結果に応じた処理を行う。
【００７６】
上述したように、コピー用画像処理部１０２、プリンタ用画像処理部１０４、ＦＡＸ用画像処理部１０６夫々の画像処理部においては、画像処理によって問題が生じる場合があり得る。上述したような網点処理による問題の他、例えば、コピー用画像処理部１０２においては、文字領域と写真やグラフィックス等の絵柄の領域を分離する像域分離処理が行われる場合がある。そして、像域分離処理の誤りにより、画像に問題が生じる場合がある。
【００７７】
このように問題が生じた状態のビットマップデータに基づいて生成されたマスター画像が比較検査部２０６において読取画像との比較対象として用いられることにより、許容するべき範囲の画像の差異であるにも関わらず、欠陥として認識されてしまうようなことは、装置の効率的な運用の観点からは避けるべきである。従って、本実施形態に係るマスター画像チェック部２０３は、マスター像と元画像との比較の結果、元画像との差異が大きい部分を収集して検査制御部２０５に通知する。
【００７８】
検査制御部２０５は、マスター画像チェック部２０３から通知を受けた部分については、上述したエッジ処理部２０４と同様に、比較検査部２０６における欠陥判定時の閾値を緩和し、許容範囲を広げるように比較検査部２０６を制御する。これにより、元画像とマスター画像との間に差異の生じている部分について、不当に欠陥判定がされてしまうことを防ぐことが可能となる。
【００７９】
このようなマスター画像チェック部２０３の処理によれば、マスター画像処理部２０２によって生成されたマスター画像と元画像とを比較するため、エッジ処理によって抽出不可能な画像の差異をも判断することができ、エッジ処理部２０４では修正することができない部分について閾値の緩和処理を行うことができる。
【００８０】
尚、エッジ処理部２０４やマスター画像チェック部２０３による画像の比較処理については、比較検査部２０６において用いられている画像の比較処理と同様の方法を用いることが可能である。その際、比較検査部２０６として機能するＡＳＩＣと同様のハードウェアをエッジ処理部２０４やマスター画像チェック部２０３として別途搭載しても良いし、単一のＡＳＩＣを、エッジ処理部２０４、マスター画像チェック部２０３及び比較検査部２０６として機能させても良い。
【００８１】
更に、マスター画像チェック部２０３における画像の比較処理において、比較検査部２０６と同様の画素毎の比較を行う場合、両画像のサイズや形式を合わせる必要があり、エッジ処理部２０４におけるエッジ抽出結果の比較処理において、比較検査部２０６と同様の画素毎の比較を行う場合も、両エッジ抽出結果のサイズを合わせる必要がある。そのため、マスター画像チェック部２０３及びエッジ処理部２０４は、比較する対象の元画像またエッジ抽出結果を、図５において説明したマスター画像処理部２０２と同様の機能により、マスター画像と同一のサイズ、同一の形式に変換することが好ましい。
【００８２】
この場合において、スキャナ１０１、ネットワークＩ／Ｆ１０３及びモデム１０５夫々から入力される元画像の形式は夫々異なることが考えられるため、上述したマスター画像生成制御部２２１のように、入力された画像の形式に応じて変換処理の内容を制御することにより、好適に元画像の変換処理を行うことが可能となる。
【００８３】
以上説明したように、本実施形態に係るＭＦＰ１及び検査装置２を含む画像検査システムにおいては、画像形成出力を実行するエンジンに入力する画像の情報に基づいてマスター画像を生成する際に、入力された画像に応じてマスター画像生成に要する画像処理の内容を制御するため、複数の画像処理機能を有する画像処理装置における画像形成出力による出力結果を読み取った画像とマスター画像とを比較することによる画像の検査を行うことが可能である。
【００８４】
また、本実施形態に係る検査装置２は、ＭＦＰ１において様々な画像処理機能が実現され、その結果、マスター画像を生成するために入力されるビットマップデータの生成に際して実行される画像処理の態様が多岐に渡ることに鑑み、ビットマップデータを生成する画像処理が実行される前の元画像を取得してマスター画像チェック部２０３、エッジ処理部２０４が動作する。そのため、検査制御部２０５、比較検査部２０６に適正な比較検査処理を実行させることができる。
【００８５】
そして、上述したようなビットマップデータに基づくマスター画像の生成態様の制御と、元画像に基づくマスター画像チェック部２０３やエッジ処理部２０４の処理とを両方行うことにより、複数の画像処理機能を有するＭＦＰ１から出力される画像の比較検査処理をより好適に行うことが可能となる。
【００８６】
尚、上記実施形態においては、エンジン制御部１０８に入力する前のビットマップデータが検査装置２に入力され、マスター画像処理部２０２によってマスター画像が生成される場合を例として説明した。そして、エンジン制御部１０８に入力されるビットマップデータは、二値画像である場合と少値若しくは多値画像である場合とがあることを例として説明した。
【００８７】
そのため、エンジン制御部１０８には階調処理機能が含まれており、少値若しくは多値画像であるビットマップデータが入力された場合、エンジン制御部１０８は、内部に有する階調処理機能によって二値画像への変換処理を行う。従って、図７に示すように、エンジン制御部１０８によって階調処理が施された後のビットマップデータをビットマップ送信部１１１に入力して、検査装置２に送信するようにしても良い。
【００８８】
この場合、ビットマップデータを取得したマスター画像処理部２０２においては、必ず二値画像が入力されることとなるため、少値多値変換処理部２２２を動作させる際のマスター画像生成制御部２２１の制御が不要となり、マスター画像処理部２０２における処理負荷を低減することが可能となる。また、二値画像に変換されることによって情報量が削減されており、ＭＦＰ１から検査装置２に情報を送信する際の情報転送に要する時間、データ転送コストを低減することが可能となる。
【００８９】
また、上記実施形態において、マスター画像生成制御部２２１は、入力されたビットマップデータの二値、少値、多値等の階調形式、解像度、色表現の形式に応じて、マスター画像処理部２０２各部による画像処理の内容を制御する場合を例として説明した。この場合、マスター画像生成制御部２２１は、実際のビットマップデータの内容を解析する必要があるため、その分処理負荷が増加する。
【００９０】
これに対して、上述したようなビットマップデータの形式の変化をもたらすのは、そのビットマップデータを生成した画像処理部の差異、即ち、コピー用画像処理部１０２、プリンタ用画像処理部１０４、ＦＡＸ用画像処理部１０６のいずれによってビットマップデータが生成されたかである。そのため、そのビットマップデータが、いずれの画像処理部によって生成されたかを判断することができれば、それに応じてマスター画像処理部２０２各部の制御状態を決定することが可能である。
【００９１】
そのような態様は、例えば、ビットマップ送信部１１１がマスター画像処理部２０２にビットマップデータを送信する際に、コピー用画像処理部１０２、プリンタ用画像処理部１０４、ＦＡＸ用画像処理部１０６のいずれによって生成されたかを示す情報をビットマップデータに付加して送信することにより可能となる。
【００９２】
そのため、ビットマップ送信部１１１は、データ取得部１０７からビットマップデータを取得すると共に、コピー用画像処理部１０２、プリンタ用画像処理部１０４、ＦＡＸ用画像処理部１０６のうち、ビットマップデータの生成処理を実行している画像処理から、動作中であることを示す信号を取得する。そして、ビットマップ送信部１１１は、データ取得部１０７から取得したビットマップデータをマスター画像処理部２０２に送信する際、夫々の画像処理部のうち、動作中であることを示す信号を発信している画像処理部を示す情報（以降、「ビットマップ生成元情報」とする）を付加する。
【００９３】
これにより、マスター画像生成制御部２２１においては、ビットマップデータに付加されているビットマップ生成元情報に基づいて、マスター画像処理部２０２各部の画像処理の内容を制御することができる。
【００９４】
ビットマップ生成元情報としては、上述したように、画像処理を行った画像処理部を示す情報の他、生成されたビットマップデータの階調形式、解像度、色表現形式等、マスター画像処理部２０２におけるマスター画像の生成に際して実行する画像処理の内容に係るビットマップデータの情報形式を示す情報としても良い。この場合においても、マスター画像生成制御部２２１は、ビットマップ生成元情報に基づいてマスター画像処理部２０２各部の動作内容を制御することが可能である。
【００９５】
また、上記実施形態において、エッジ処理部２０４は、マスター画像処理部２０２によって生成されたマスター画像から抽出したエッジ部分や線画像部分と、元画像から抽出したエッジ部分や線画像部分との比較により、検査制御部２０５への通知を修正する場合を例として説明した。しかしながら、エッジ処理部２０４が検査制御部２０５に通知するべき情報は、画像のどの部分がエッジ部分や線画像部分であるかの情報である。従って、エッジ処理部２０４は、マスター画像に基づくエッジ抽出を行うことなく、元画像のみを参照してエッジ部分や線画像部分の判断を行い、その結果を検査制御部２０５に通知しても良い。
【符号の説明】
【００９６】
１  ＤＦＥ
２  エンジンコントローラ
３  プリントエンジン
４  検査装置
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１０１  スキャナ
１０２  コピー用画像処理部
１０３  ネットワークＩ／Ｆ
１０４  プリンタ用画像処理部
１０５  モデム
１０６  ＦＡＸ用画像処理部
１０７  データ取得部
１０８  エンジン制御部
１０９  印刷処理部
１１０  読取装置
１１１  ビットマップ送信部
２０１  データ取得部
２０２  マスター画像処理部
２０３  マスター画像チェック部
２０４  エッジ処理部
２０５  検査制御部
２０６  比較検査部
２２１  マスター画像生成制御部
２２２  少値多値変換処理部
２２３  解像度変換処理部
２２４  色変換処理部
２２５  マスター画像出力部
３０１  給紙トレイ
３０２  給紙ローラ
３０３  分離ローラ
３０４  用紙
３０５  搬送ベルト
３０６ＢＫ、１０６Ｃ、１０６Ｍ、１０６Ｙ  画像形成部
３０７  駆動ローラ
３０８  従動ローラ
３０９ＢＫ、１０９Ｃ、１０９Ｍ、１０９Ｙ  感光体ドラム
３１０ＢＫ  帯電器
３１１光書き込み装置
３１２ＢＫ、３１２Ｃ、３１２Ｍ、３１２Ｙ  現像器
３１３ＢＫ、３１３Ｃ、３１３Ｍ、３１３Ｙ  除電器
３１５ＢＫ、３１５Ｃ、３１５Ｍ、３１５Ｙ  転写器
３１６  定着器
【先行技術文献】
【特許文献】
【００９７】
【特許文献１】特開２００８−２７２９８０号公報
【特許文献２】特開２０１１−１１４５７４号公報
【図１】
2014055852.tif 000003
【図２】
2014055852.tif 000004
【図３】
2014055852.tif 000005
【図４】
2014055852.tif 000006
【図５】
2014055852.tif 000007
【図６】
2014055852.tif 000008
【図７】
2014055852.tif 000009